(57)【要約】【課題】端末装置が、複数の基地局装置との間で形成した無線リンクにおいて無線リンク障害が生じた場合に、代替の無線リンクを高速に確立すること。【解決手段】第１の基地局装置が形成するセルでの通信と、第２の基地局装置が形成するセルでの第１の基地局装置の制御下での通信とを並行して行う端末装置は、第２の基地局装置が形成する複数のセルのうちの第１のセルでの通信中に、第１のセルに関する無線リンク障害を検出し、第１のセルに関する無線リンク障害が検出された場合に、複数のセルのうちの第１のセルと異なる第２のセルへ、第１の基地局装置を介さずに接続し、第２のセルへ、第１のセルに関する無線リンク障害が生じたことの通知を行う。【選択図】  図４
2018164137.tif 000002
【特許請求の範囲】
【請求項１】
第１の基地局装置が形成するセルでの通信と、第２の基地局装置が形成するセルでの前記第１の基地局装置の制御下での通信とを並行して行う端末装置であって、
前記第２の基地局装置が形成する複数のセルのうちの第１のセルでの通信中に、当該第１のセルに関する無線リンク障害を検出する検出手段と、
前記第１のセルに関する無線リンク障害が検出された場合に、前記複数のセルのうちの前記第１のセルと異なる第２のセルへ、前記第１の基地局装置を介さずに接続する接続手段と、
前記第２のセルへ、前記第１のセルに関する無線リンク障害が生じたことの通知を行う通知手段と、
を有することを特徴とする端末装置。
【請求項２】
前記接続手段は、ランダムアクセス手順を用いて前記第２のセルへ接続する、
ことを特徴とする請求項１に記載の端末装置。
【請求項３】
前記通知手段は、前記接続手段が前記第２のセルへの接続処理を行っている間に、前記通知を行う、
ことを特徴とする請求項１又は２に記載の端末装置。
【請求項４】
前記通知手段は、ランダムアクセスプリアンブルの送信時に前記無線リンク障害が生じたことの通知を行う、
ことを特徴とする請求項２に従属する請求項３に記載の端末装置。
【請求項５】
前記通知手段は、前記第２のセルからのランダムアクセス応答の受信後に送信されるべき前記端末装置の識別情報の送信時に前記無線リンク障害が生じたことの通知を行う、
ことを特徴とする請求項２に従属する請求項３、又は請求項４に記載の端末装置。
【請求項６】
前記通知手段は、前記接続手段が前記第２のセルへの接続処理を完了した後に、前記通知を行う、
ことを特徴とする請求項１に記載の端末装置。
【請求項７】
前記通知手段は、前記第１の基地局装置を通じて前記通知を行う、
ことを特徴とする請求項６に記載の端末装置。
【請求項８】
前記複数のセルは、それぞれ、前記第２の基地局装置が形成する１つ以上のビームを含む、
ことを特徴とする請求項１から７のいずれか１項に記載の端末装置。
【請求項９】
第１の基地局装置が形成するセルでの通信と、第２の基地局装置が形成するセルでの前記第１の基地局装置の制御下での通信とを並行して行う端末装置の制御方法であって、
検出手段が、前記第２の基地局装置が形成する複数のセルのうちの第１のセルでの通信中に、当該第１のセルに関する無線リンク障害を検出する検出工程と、
接続手段が、前記第１のセルに関する無線リンク障害が検出された場合に、前記複数のセルのうちの前記第１のセルと異なる第２のセルへ、前記第１の基地局装置を介さずに接続する接続工程と、
通知手段が、前記第２のセルへ、前記第１のセルに関する無線リンク障害が生じたことの通知を行う通知工程と、
を有することを特徴とする制御方法。
【請求項１０】
第１の基地局装置が形成するセルでの通信と、第２の基地局装置が形成するセルでの前記第１の基地局装置の制御下での通信とを並行して行う端末装置に備えられたコンピュータに、
前記第２の基地局装置が形成する複数のセルのうちの第１のセルでの通信中に、当該第１のセルに関する無線リンク障害を検出させ、
前記第１のセルに関する無線リンク障害が検出された場合に、前記複数のセルのうちの前記第１のセルと異なる第２のセルへ、前記第１の基地局装置を介さずに接続させ、
前記第２のセルへ、前記第１のセルに関する無線リンク障害が生じたことの通知を行わせる、
ためのプログラム。
【発明の詳細な説明】
【技術分野】
【０００１】
本発明は、端末装置と複数の基地局装置との間の接続制御に関する。
【背景技術】
【０００２】
端末装置が、第１の基地局装置との通信と、その第１の基地局装置の制御下での第２の基地局装置との通信とを並行して行う技術が規格化されている（非特許文献１参照）。非特許文献１に記載の技術では、第２の基地局装置との接続において無線リンク障害（Radio Link Failure、ＲＬＦ）が発生すると、端末装置は、第１の基地局装置の制御によって、別の第３の基地局装置との接続を確立することができる。
【先行技術文献】
【非特許文献】
【０００３】
【非特許文献１】３ＧＰＰ  ＴＳ３６．３００  Ｖ１２．１０．０、２０１６年６月
【発明の概要】
【発明が解決しようとする課題】
【０００４】
非特許文献１に記載の技術では、ＲＬＦが発生した場合の別の基地局装置への接続を第１の基地局装置の制御下で行うため、端末装置から第１の基地局装置へのＲＬＦ発生通知や、第１の基地局装置による、バックホール回線を通じて第２の基地局装置に端末装置との接続を切断させるための指示及び第３の基地局装置への端末装置との接続の確立の指示の送信と、端末装置に対する第３の基地局装置との接続のための設定が必要である。これらの処理には多くの時間を要するため、遅延の要求の厳しいシステム、例えば次世代無線通信システムでは、その遅延の要求を満たすことができない場合がありうる。
【０００５】
本発明は上記課題に鑑みなされたものであり、端末装置が、複数の基地局装置との間で形成した無線リンクにおいて無線リンク障害が生じた場合に、代替の無線リンクを高速に確立することを目的とする。
【課題を解決するための手段】
【０００６】
本発明の一態様による端末装置は、第１の基地局装置が形成するセルでの通信と、第２の基地局装置が形成するセルでの前記第１の基地局装置の制御下での通信とを並行して行う端末装置であって、前記第２の基地局装置が形成する複数のセルのうちの第１のセルでの通信中に、当該第１のセルに関する無線リンク障害を検出する検出手段と、前記第１のセルに関する無線リンク障害が検出された場合に、前記複数のセルのうちの前記第１のセルと異なる第２のセルへ、前記第１の基地局装置を介さずに接続する接続手段と、前記第２のセルへ、前記第１のセルに関する無線リンク障害が生じたことの通知を行う通知手段と、を有する。
【発明の効果】
【０００７】
本発明によれば、端末装置が、複数の基地局装置との間で形成した無線リンクにおいて無線リンク障害が生じた場合に、代替の無線リンクを高速に確立することができる。
【図面の簡単な説明】
【０００８】
【図１】無線通信システムの構成例を示す図。
【図２】端末装置のハードウェア構成例を示す図。
【図３】端末装置の機能構成例を示すブロック図。
【図４】無線通信システムで実行される処理の流れの第１の例を示す図。
【図５】無線通信システムで実行される処理の流れの第２の例を示す図。
【図６】無線通信システムで実行される処理の流れの第３の例を示す図。
【図７】無線通信システムで実行される処理の流れの第４の例を示す図。
【発明を実施するための形態】
【０００９】
以下、本発明の実施の形態について図面を参照しながら説明する。
【００１０】
（システム構成）
図１に、本実施形態に係る無線通信システムの構成を示す。この無線通信システムでは、複数の基地局装置（ｅＮＢ及びｇＮＢ）がそれぞれ１つ以上のセルを形成する。なお、ｅＮＢは、例えば、ロングタームエボリューション（ＬＴＥ）等の第４世代のセルラ通信システムに関する基地局装置である。また、ｇＮＢは、例えば、いわゆるNew Radio（ＮＲ）と呼ばれる第５世代のセルラ通信システムに関する基地局装置である。なお、例えばｇＮＢが形成するセル１〜セル３のそれぞれは、不図示の１つ以上のTransmission Reception Point（ＴＲＰ）が形成する１つ以上のビームから形成されうる。なお、ｇＮＢが形成するセルは、全端末装置に対して一意に特定されてもよいし、端末装置ごとに定められてもよい、論理的なビームの集合として定義されうる。また、ｅＮＢが形成するセルは、ｅＮＢを中心として全方位に広がるセル又は一定の範囲の方位に広がるセクタでありうる。また、本例ではｅＮＢは１つのセルを形成し、ｇＮＢは３つのセルを形成しているがこれに限られない。例えば、ｅＮＢはセクタ化された複数のセル（セクタ）を形成してもよいし、ｇＮＢは２つ以下又は４つ以上のセルを形成してもよい。また、図１では、１つのｅＮＢと１つのｇＮＢが示されているが、無線通信システムは、複数のｅＮＢ又はｇＮＢを含んでもよい。また、ｅＮＢおよびｇＮＢは一例に過ぎず、任意の無線通信規格に従う基地局装置と置き換えられうる。
【００１１】
端末装置は、少なくともｅＮＢとｇＮＢとのいずれかが形成したセルでの通信を行うことができる。また、端末装置は、これらの基地局装置のうちの第１の基地局装置が形成したセルで通信しながら、その第１の基地局装置の制御下で第２の基地局装置が形成したセルで並行して通信することができる。ここで、第１の基地局装置は例えばｅＮＢであり、第２の基地局装置は例えばｇＮＢであるが、これらに限られず、例えば、第１の基地局装置及び第２の基地局装置が両方ｇＮＢ又はｅＮＢであってもよい。
【００１２】
端末装置が移動可能であることにより又は端末装置の周辺環境の変化により、端末装置が接続可能なセルは時間変動しうる。例えば、ｇＮＢが形成する１つのビームによって１つのセルが形成される場合、端末装置は、移動することによって、そのセルを容易に離脱しうる。このような場合、端末装置がそれまで在圏していたセルで端末装置と基地局装置との間で確立されていた無線リンクに無線リンク障害（ＲＬＦ）が発生してしまいうる。このとき、端末装置は、ＲＬＦが発生した無線リンクに代えて、別のセルとの無線リンクを確立することができる。
【００１３】
例えば、ＬＴＥのRelease 12におけるDual Connectivityでは、以下のようにして、第１の基地局装置による制御下で確立されていた端末装置と第２の基地局装置との間の無線リンクにおいてＲＬＦが発生した場合に、その端末装置と別の基地局装置との間で別の無線リンクが確立される。すなわち、まず、端末装置は、第２の基地局装置が形成した第１のセルにおいてＲＬＦを検出すると、ＲＬＦが発生したことの通知及び無線品質の測定報告を第１の基地局装置へ送信する。そして、第１の基地局装置は、測定結果に応じて、端末装置が接続すべきセルを変更させることを決定する。なお、第１の基地局装置は、切り替え先の適切な基地局装置がない場合、第２の基地局装置に関する接続を単に切断させることを決定してもよい。そして、第１の基地局装置は、接続を切り替えさせる場合に、端末装置が接続していた第２の基地局装置と切り替え先の基地局装置とに対して端末装置と接続を確立するように指示する。また、第１の基地局装置は、端末装置に対して、切り替え先の基地局装置との接続のための設定情報を通知しうる。端末装置は、第１の基地局装置からの通知に従って、切り替え先の基地局装置との間でランダムアクセス手順を実行することにより、その基地局装置との接続を確立することができる。
【００１４】
しかしながら、このような手順は装置間で信号が送受信される回数が多いため、開始から完了までに要する時間が長期化してしまいうる。また、例えば基地局装置間のバックホール回線は遅延が大きい場合があるため、さらにこの時間が長期化し、又は不安定になりうる。このため、従来の手法では、ＲＬＦが生じた場合に、例えば第５世代の無線通信システム等で要求されるリアルタイム性を満たせなくなってしまいうる。
【００１５】
これに対して、本実施形態の端末装置は、接続の切り替え先のセルが切り替え前のセルと同じ第２の基地局装置によって形成される場合に、第１の基地局装置のＲＬＦを通知することなく、切り替え先のセルに対するランダムアクセス手順を開始する。すなわち、端末装置は、接続中のセルについてＲＬＦを検出すると、接続可能な他のセルを探索し、発見した他のセルが接続中のセルと同一の基地局装置によって形成されている場合は、その接続可能な他のセルに対するランダムアクセス手順を開始する。なお、端末装置は、接続先の切り替え前後のセルがそれぞれ異なる基地局装置によって形成される場合であっても、第１の基地局装置にＲＬＦを通知することなくランダムアクセス手順を開始してもよい。例えば、端末装置は、セキュリティ鍵などの切り替え先の基地局装置に対するランダムアクセス手順の実行に必要な情報を接続の切り替えの際に第１の基地局装置から取得しうるが、この情報を事前に有している場合は、第１の基地局装置にＲＬＦを通知せずにランダムアクセス手順を開始しうる。端末装置は、ランダムアクセス手順で接続するセルにおいて無線リンクを確立すると、ＲＬＦが生じたことをそのセルに通知する。なお、端末装置は、ランダムアクセス手順の実行中に、ＲＬＦが生じたことをそのセルに通知してもよい。例えば、端末装置は、３ＧＰＰのＬＴＥ規格で規格化されているランダムアクセス手順における、ランダムアクセスプリアンブル（メッセージ１）の送信時にＲＬＦが生じたことを並行して通知してもよい。ＲＬＦが生じたことの通知は、例えばランダムアクセスプリアンブル内に情報として含められることによって、又はランダムアクセスプリアンブルと並行して送信される信号によって、送信されうる。また、端末装置は、ランダムアクセスプリアンブルに対するランダムアクセス応答の受信後に送信されるべき端末装置自身の識別情報を含んだメッセージ（メッセージ３）の送信時に、ＲＬＦが生じたことの通知を行ってもよい。例えば、ＲＬＦが生じたことを示す情報がメッセージ３に含められてもよいし、メッセージ３と並行して送信されてもよい。なお、ＲＬＦが生じたことの通知は、どのセルでＲＬＦが生じたかを示す情報を含んでもよいが、例えば、切り替え前後のセルを同一の基地局装置が形成している場合は、このような情報は含まれなくてもよい。
【００１６】
そして、第２の基地局装置は、切り替え前のセルで送信が完了しなかったデータを切り替え後のセルで送信するように、セル間でのデータの転送を行いうる。なお、切り替え後のセルを形成する基地局装置は、端末装置の接続先のセルが切り替えられたことを第１の基地局装置に通知してもよいが、この場合、切り替え前後のセルを形成する基地局装置が同じであるため、この通知を行わなくてもよい。なお、切り替え前後のセルを形成する基地局装置が異なる場合は、切り替え後のセルを形成している基地局装置は、切り替え前のセルを形成している基地局装置に対してデータの転送を要求しうる。また、この場合、切り替え後のセルを形成している基地局装置は、第１の基地局装置に対して、端末装置の接続先が切り替えられたことを通知しうる。
【００１７】
なお、上述のランダムアクセス手順は、例えば、３ＧＰＰのＬＴＥ規格で規格化されている４ステップまたは２ステップのランダムアクセス手順でありうる。また、端末装置は、ランダムアクセス手順ではない手順を用いて、切り替え先のセルにおける無線リンクを確立してもよい。すなわち、本実施形態では、端末装置は、第１の基地局装置との通信と、第１の基地局装置の制御下で第２の基地局装置が形成する第１のセルでの通信を実行している際に、その第１のセルでＲＬＦが生じた場合、第１の基地局装置を介さずに第２のセルへと接続する。そして、端末装置は、その第２のセルに対して、ＲＬＦが生じたことを通知する。なお、この通知は、第１の基地局装置を介さずに行われる第２のセルへの接続処理の間に行われうる。すなわち、端末装置と第２のセルとの間で接続処理の間に送受信されるメッセージと共に又はそのようなメッセージと並行して、ＲＬＦが生じたことの通知が送受信されうる。また、この通知は、端末装置が切り替え先のセルでの接続を確立した後に、例えば第１の基地局装置を介して、切り替え先のセルを形成している基地局装置へ、ＲＬＦを通知してもよい。なお、この場合、切り替え先のセルを示す情報を含んだ通知が行われうる。第１の基地局装置がこの通知をどの基地局装置に転送すべきかを示すためである。
【００１８】
これにより、接続の切り替え処理に関する信号が送受信される頻度が低減するため、高速に接続先のセルの切り替えを行うことができる。また、接続の切り替え前後のセルを形成する基地局装置が同一である場合、バックホール回線を通じて接続処理が行われることがないため、接続処理に要する時間の安定性を高めることができる。また、無線リンクの接続先の切り替えに伴って、切り替え先のセルにＲＬＦの通知が行われるため、接続の切り替えによって通信の連続性が担保されなくなることを防ぐことができる。さらに、接続の切り替え前後のセルを形成する基地局装置が同一である際に第１の基地局装置の制御が変わらない場合は、第１の基地局装置への無線リンクの切り替えの通知が行われなくてもよく、接続の切り替え処理に要する時間を短縮することができる。また、ＲＬＦの通知が、第１の基地局装置を介さない接続処理の途中で行われることにより、例えば接続の切り替え先のセルに、接続の切り替え元のセルから、接続が確立する前にデータを転送させることができる。また、ＲＬＦの通知が、接続の切り替え先のセルでの無線リンクの確立後に行われることで、例えば既存のランダムアクセス手順を変更することなく、上述の手順を行うことが可能となる。また、ＲＬＦの通知は第１の基地局装置を経由して行われてもよく、この場合、第１の基地局装置に対してもＲＬＦが発生したことを通知することができる。また、この場合、例えば接続の切り替え前後のセルを形成する基地局装置が互いに異なる場合に、第１の基地局装置は、端末装置との通信を連携して行う基地局装置が変化することを知ることができる。
【００１９】
以下では、このような処理を実行する端末装置の構成及び実行される処理の流れについて説明する。
【００２０】
（装置構成）
図２に、端末装置のハードウェア構成例を示す。端末装置は、一例において、図２に示すようなハードウェア構成を有し、例えば、ＣＰＵ２０１、ＲＯＭ２０２、ＲＡＭ２０３、外部記憶装置２０４、及び通信装置２０５を有する。端末装置では、例えばＲＯＭ２０２、ＲＡＭ２０３及び外部記憶装置２０４のいずれかに記録された、端末装置の各機能を実現するプログラムがＣＰＵ２０１により実行される。なお、ＣＰＵ２０１は、ＡＳＩＣ（特定用途向け集積回路）、ＦＰＧＡ（フィールドプログラマブルゲートアレイ）、ＤＳＰ（デジタルシグナルプロセッサ）等の１つ以上のプロセッサによって置き換えられてもよい。
【００２１】
そして、端末装置は、例えばＣＰＵ２０１により通信装置２０５を制御して、基地局装置との間の通信を行う。なお、図２では、端末装置は、１つの通信装置２０５を有するような概略図を示しているが、これに限られない。例えば、端末装置は、２つ以上の基地局装置と通信するために２つ以上の通信装置２０５を有してもよいし、さらに、他のシステムでの通信のための別の通信装置２０５を有してもよい。
【００２２】
なお、端末装置は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００２３】
図３は、端末装置の機能構成例を示す図である。端末装置の機能は、例えば図２のハードウェアによって実現される論理的な機能であり、ＣＰＵ２０１がＲＯＭ２０２等に記憶されたプログラムを実行することによって実現されうる。端末装置は、例えば、通信部３０１、ＲＬＦ検出部３０２、接続制御部３０３、及びＲＬＦ通知部３０４を含んで構成される。
【００２４】
通信部３０１は、１つ以上の基地局装置と通信可能であり、例えば、第１の基地局装置が形成したセルでの通信と、第１の基地局装置の制御下で第２の基地局装置が形成した１つ以上のセルのうちのいずれかでの通信とを並行して行うことができる。なお、このような並行通信は、例えば３ＧＰＰで議論されているData flow aggregationの規定に従って行われうるが、他の手法によってこのような並行通信が行われてもよい。また、セルは、１つ以上のビームを含んで形成されうる。
【００２５】
ＲＬＦ検出部３０２は、通信中の無線リンクにおいて無線リンク障害が発生したことを検出する。ＲＬＦ検出部３０２は、特に、端末装置が、第２の基地局装置が形成した複数のセルのいずれかでの第１の基地局装置の制御下での通信を行っている場合に、そのセルに関するＲＬＦが発生したか否かを監視し、ＲＬＦを検出する。
【００２６】
接続制御部３０３は、端末装置が第２の基地局装置が形成した複数のセルのうちの第１のセルで行っている第１の基地局装置の制御下での通信においてＲＬＦが発生した場合に、第１の基地局装置を介さずに、例えば上述の複数のセルのうちの第２のセルとの接続を確立するように、通信部３０１を制御する。なお、接続制御部３０３は、端末装置が第２の基地局装置が形成した複数のセルのいずれかのセルで行っている第１の基地局装置の制御下での通信においてＲＬＦが発生した場合に、第１の基地局装置を介さずに、第３の基地局装置との間での接続を確立するように、通信部３０１を制御してもよい。接続制御部３０３は、例えば、ＲＬＦが検出されたことに応じて、周囲のセルの無線品質を測定し、測定結果の良好なセルを切り替え先のセルとして選択しうる。なお、接続制御部３０３は、切り替え前のセルと同じ基地局装置が形成するセルを優先的に選択するようにしてもよい。接続制御部３０３は、例えばランダムアクセス手順を用いて、切り替え先のセルとの接続を確立するように通信部３０１を制御する。
【００２７】
ＲＬＦ通知部３０４は、ＲＬＦが発生したことを、接続の切り替え先のセルに対して通知するための処理を行う。例えば、ＲＬＦ通知部３０４は、例えば切り替え先のセルとの接続処理中に、ＲＬＦが発生したことを通知するように接続制御部３０３を制御する。例えば、ＲＬＦ通知部３０４は、ランダムアクセス手順内で送信するメッセージ中に情報を含めて、又はこのメッセージと並行して、ＲＬＦが発生したことの通知を送信しうる。この手順では、ＲＬＦが発生したことの通知は、第１の基地局装置を介さずに、直接、切り替え先のセル（そのセルを形成している基地局装置）に通知される。また、ＲＬＦ通知部３０４は、ＲＬＦが発生したことの通知を生成して、例えば接続制御部３０３による切り替え先のセルとの間の接続処理が完了した後に、通信部３０１を介して送信してもよい。この場合、例えば、ＲＬＦ通知部３０４は、ＲＬＦの発生を、第１の基地局装置を介さずに、直接、切り替え先のセルに通知してもよいし、第１の基地局装置を介して切り替え先のセルに通知してもよい。
【００２８】
（処理の流れ）
続いて、無線通信システムで実行される処理の流れの例について図４〜図７を用いて説明する。
【００２９】
まず、図４について説明する。本処理例では、端末装置は、初期的な状態として、第１の基地局装置（例えばｅＮＢ、場合によってはマスターｅＮＢ（ＭｅＮＢ）と呼ぶ。）との通信と、第１の基地局装置の制御下で第２の基地局装置（例えばｇＮＢ）が形成した複数のセルのうちの第１セルでの通信とを並行して行っている（Ｓ４０１）。なお、第１セルなどの、他の基地局装置の制御下での通信を行うセルは、セカンダリセルと呼ばれうる。この状態において、端末装置は、制御プレーン（C-plane）のデータを第１の基地局装置と、ユーザプレーン（U-plane）のデータを第１の基地局装置及び第２の基地局装置との間で送受信しうる（Ｓ４０２、Ｓ４０３）。ここで、端末装置は、第２の基地局装置が形成した第１セルとの間の無線リンクにおいてＲＬＦが発生すると、そのＲＬＦを検出し、これに応じて、周囲のセルについての無線品質の測定を実行する（Ｓ４０４）。そして、端末装置は、測定結果の良好なセルを選択し（Ｓ４０５）、ランダムアクセス手順（Ｓ４０６〜Ｓ４０９）を実行する。なお、このランダムアクセス手順は、３ＧＰＰで規定されている４ステップのランダムアクセス手順に準じたものである。ただし、メッセージ１（ランダムアクセスプリアンブル）と、メッセージ３（Ｃ−ＲＮＴＩ／ＩＤ等の、端末装置の識別情報を含んだメッセージ）とのいずれかにＲＬＦが生じたことの通知（RLF report）が含められて、端末装置から切り替え先のセルに送信される（Ｓ４０６、Ｓ４０８）。なお、これらの両方のメッセージに、ＲＬＦが生じたことの通知が含められてもよいし、これらのメッセージとは別にＲＬＦが生じたことの通知が送信されてもよい。ランダムアクセス手順によって端末装置と第２の基地局装置が形成した第２セルとの間での無線リンクが確立すると、第２セルは、切り替え元の第１セルから、未送信データを取得し（Ｓ４１０）、端末装置へのデータ送信を回復する（Ｓ４１１）。これにより、端末装置は、第１の基地局装置が介在することなく、高速にセカンダリセルの切り替えを行うことができる。
【００３０】
続いて、図５について説明する。図５は、図４のＳ４０６〜Ｓ４０９のランダムアクセス手順が２ステップのランダムアクセス手順で置き換えられた場合の例を示している。なお、ここでは、図４と共通の処理については、同一の参照番号を付して説明を省略する。この場合、メッセージ１とメッセージ３とに対応する１つのメッセージが端末装置から第２セルへ送信され（Ｓ５０１）、メッセージ２とメッセージ４とに対応する１つのメッセージが第２セルから端末装置へ送信される（Ｓ５０２）。この場合、端末装置は、Ｓ５０１のメッセージにＲＬＦが生じたことの通知を含めて、又はこのメッセージと並行したメッセージによって、ＲＬＦが生じたことの通知を第２セルへと通知することができる。このように、用いられる接続処理によらずに、切り替え先のセルに対して、ＲＬＦが生じたことを通知することができ、これにより、端末装置へのデータ送信を適切に回復することができる。
【００３１】
次に、図６について説明する。図６では、ランダムアクセス手順においてＲＬＦが生じたことを通知せず、ランダムアクセス手順（Ｓ６０１〜Ｓ６０２）が完了した後に、第２セルにＲＬＦが生じたことを通知する（Ｓ６０３）。これによれば、接続が確立したことが確認され、確実に接続先を切り替えることができるようになった状態で、ＲＬＦが発生したことを通知することができ、不必要に切り替え前後のセル間でデータ転送が行われないようにすることができる。なお、図６では、２ステップのランダムアクセス手順が用いられている例を示しているが、４ステップのランダムアクセス手順が用いられても同様の処理が実行可能であることは明らかである。
【００３２】
最後に、図７について説明する。図７では、図６と同様に、ランダムアクセス手順（Ｓ６０１〜Ｓ６０２）が完了した後に、第２セルにＲＬＦが生じたことを通知するが、この通知を、第１の基地局装置を介して行う（Ｓ７０１〜Ｓ７０２）。例えば、端末装置は、第２セルとの接続が確立した後に、第１の基地局装置に対して、ＲＬＦが生じたこと、そして第２セルとの接続が確立したことを示す情報を通知する（Ｓ７０１）。そして、第１の基地局装置は、ＲＬＦが生じたことと、ＲＬＦが生じたセルを示す情報を、第２セルへと転送する（Ｓ７０２）。第１の基地局装置は、端末装置から第２セルの情報を取得しているため、ＲＬＦが生じたことの通知を第２セルへと転送することができる。また、第１の基地局装置は、第１セルがセカンダリセルとして動作する際の制御を行っているため、ＲＬＦが生じたことの通知のみで、第１セルにおいてＲＬＦが生じたことを判定することができる。このように、端末装置が、第１の基地局装置を介して第２セルへとＲＬＦが生じたことを通知することにより、第１の基地局装置によるセル単位での詳細な制御を実現することができる。また、このような通知手法が用いられることにより、例えば、第１セルと第２セルとを形成する基地局装置が異なる場合等の様々な条件下で、セカンダリセルの適切な切り替えを行うことが可能となる。
【００３３】
以上のように、本実施形態によれば、端末装置が、第１の基地局装置が形成したセルでの通信と、第２の基地局装置が形成したセルでの第１の基地局装置の制御下での通信とを並行して行う場合に、第２の基地局装置が形成したセルにおいて無線リンク障害が生じた場合に、代替の無線リンクを高速に確立することが可能となる。
【符号の説明】
【００３４】
３０１：通信部、３０２：ＲＬＦ検出部、３０３：接続制御部、３０４：ＲＬＦ通知部
【図１】
2018164137.tif 000003
【図２】
2018164137.tif 000004
【図３】
2018164137.tif 000005
【図４】
2018164137.tif 000006
【図５】
2018164137.tif 000007
【図６】
2018164137.tif 000008
【図７】
2018164137.tif 000009